(57)【要約】【課題】視覚的にも良好であるとともに、余分な部品を必要とすることなくカバーの開閉を行なうことができ、部品管理の簡素化と組立工程の効率向上を図ることができる配線器具Ｂ用カバー装置Ａを提供すること。【解決手段】スイッチやコンセントなどの配線器具Ｂを取り付けた取付枠１を覆うカバープレート２の開口部１５に嵌め合わされる化粧枠３と、該化粧枠３に取り付けられる扉部材４とで構成した配線器具用カバー装置Ａであって、上記化粧枠３には配線器具Ｂを露出させる開口部１０を設けるとともに、該開口部１０を覆う扉部材４を化粧枠３の前面に開閉可能に配置し、上記化粧枠３の上記扉部材４の上方に位置する部分を扉部材４の前面と面一に膨出した膨出部１３を形成し、上記扉部材４を開閉可能に軸支する２つの軸支部１１を該扉部材４の背面側に位置する化粧枠３上に設けた。【選択図】図２
2005151607.tif 000002
【特許請求の範囲】
【請求項１】
スイッチやコンセントなどの配線器具を取り付けた取付枠を覆うカバープレートの開口部に嵌め合わされる化粧枠と該化粧枠に取り付けられる扉部材とで構成した配線器具用カバー装置であって、
上記化粧枠には配線器具を露出させる開口部を設けるとともに、該開口部を覆う扉部材を化粧枠前面に開閉可能に配置し、
上記化粧枠の上記扉部材の上方に位置する部分を扉部材の前面と面一に膨出した膨出部を形成し、上記扉部材を開閉可能に軸支する２つの軸支部を該扉部材の背面側に位置する化粧枠上に設けたことを特徴とする配線器具用カバー装置。
【請求項２】
前記化粧枠の２つの軸支部間には上記扉部材の開閉動作を付勢するバネ部を化粧枠と一体に形成し、上記扉部材には上記バネ部に係合する係合突部を形成した、請求項１記載の配線器具用カバー装置。
【請求項３】
前記取付枠には係止片を備えた係止部材を取り付け、前記化粧枠の背面には上記係止片に係止される係止突部を突出形成した、請求項１又は２記載の配線器具用カバー装置。
【発明の詳細な説明】
【技術分野】
【０００１】
本発明は、配線器具用カバー装置、詳しくはスイッチやコンセントなどの配線器具を操作時以外は触ることができないようにカバーする配線器具用カバー装置に関するものである。
【背景技術】
【０００２】
近年、木造住宅のシックハウス対策として建築基準法が改正され、室内の空気を常時入れ換える換気設備の設置が義務付けられるようになり、住宅メーカーはその対策として２４時間作動する換気装置、例えば換気扇の設置を図らなければならなくなった。しかし、換気扇のメンテナンスや長期不在等の際には電源を切らなければならないため必然的に電源スイッチが必要になるが、この電源スイッチが換気扇の作動中にオフされないようにするために電源スイッチにカバーを設ける必要性が生じている。このカバーはスイッチの前面を覆うとともにスイッチの操作時には開閉できる構造でなければならないが、そのような構造の配線器具用のカバー装置も既に提案されている（例えば、特許文献１）。
【特許文献１】実公平４−７６２０号公報
【発明の開示】
【発明が解決しようとする課題】
【０００３】
本発明が解決しようとする問題点は、上述の配線器具用のカバー装置は、カバーの蝶番部がカバーの上部両側部に設けられ、その蝶番部が前面から視認できるためカバーの開閉ができることが容易に確認されるとともに美観的に好ましくない点であるとともに、このカバーの開閉を付勢する開閉節度機構がスプリングなどの部品を必要とし、部品の管理、組立工程などの面においても手間がかかる点であった。
【０００４】
本発明は、上記問題点を解決し、美観的に良好であるとともに、余分な部品を必要とすることなくカバーの開閉を行なうことができ、部品管理の簡素化と組立工程の効率向上を図ることができる配線器具用カバー装置を提供することを課題とする。
【課題を解決するための手段】
【０００５】
前記課題を解決するために本発明に係る配線器具用カバー装置は、スイッチやコンセントなどの配線器具を取り付けた取付枠を覆うカバープレートの開口部に嵌め合わされる化粧枠と該化粧枠に取り付けられる扉部材とで構成した配線器具用カバー装置であって、上記化粧枠には配線器具を露出させる開口部を設けるとともに、該開口部を覆う扉部材を化粧枠前面に開閉可能に配置し、上記化粧枠の上記扉部材の上方に位置する部分を扉部材の前面と面一に膨出した膨出部を形成し、上記扉部材を開閉可能に軸支する２つの軸支部を該扉部材の背面側に位置する化粧枠上に設けたことを特徴とする。
【０００６】
なお、前記化粧枠の２つの軸支部間には上記扉部材の開閉動作を付勢するバネ部を化粧枠と一体に形成し、上記扉部材には上記バネ部に係合する係合突部を形成することが好ましい。
【０００７】
また、前記取付枠には係止片を備えた係止部材を取り付け、前記化粧枠の背面には上記係止片に係止される係止突部を突出形成し、上記カバープレートから化粧枠が容易に外れないようにすればよい。
【発明の効果】
【０００８】
請求項１の発明によれば、化粧枠に扉部材を取り付け、扉部材を取り付けた化粧枠をスイッチやコンセントなどの配線器具を取り付けた取付枠を覆うカバープレートの開口部に嵌め合わせることにより配線器具を覆うカバー装置を簡単に取り付けることができるとともに、従来の部品（配線器具、取付枠、カバープレート）に何ら構造上の加工を加える必要がなく、生産効率に優れたカバー装置を提供することができる。
【０００９】
請求項２の発明によれば、化粧枠には扉部材の開閉動作を付勢するバネ部を一体に形成し、扉部材にはバネ部に係合する係合突部を形成することにより、他の部品を用いることなく扉部材の開閉動作を付勢することができ、付勢するための他の部品を用意する必要もその部品を組み付ける手間を省くことができ生産効率に優れた配線器具用カバー装置を提供することができる。
【００１０】
請求項３の発明によれば、カバーの開閉を乱雑におこなっても化粧枠がカバープレートから外れるようなトラブルを回避することができる。
【発明を実施するための最良の形態】
【００１１】
スイッチやコンセントなどの配線器具を取り付けた取付枠を覆う中央が開口したカバープレートの開口部に嵌め合わされる扉部材を化粧枠と該化粧枠に取り付けられる扉部材とで構成した配線器具用カバー装置であって、上記化粧枠をワイドハンドル形スイッチモジュール１個乃至３個分の大きさ、又は大角形配線器具モジュール１個乃至３個分の大きさに形成するとともに、該化粧枠には配線器具を露出させる開口部を設けるとともに、該開口部を覆う扉部材を化粧枠前面に開閉可能に配置し、上記化粧枠の上記扉部材に覆われない部分に、扉部材の上面と面一の膨出部を形成し、上記扉部材を開閉可能に軸支する２つの軸支部を該扉部材の背面側の化粧枠上に設けた。
【実施例１】
【００１２】
図１は、本発明に係る配線器具用カバー装置の一例を示し、この配線器具用カバー装置（以下、カバー装置という）Ａは、スイッチやコンセントなどの配線器具Ｂを取り付ける取付枠１（図２参照）の枠体部分を覆うカバープレート２に取り付けられ、配線器具Ｂが前面からは視認できないようにしたものである。
【００１３】
上記カバー装置Ａは上記カバープレート２に取り付けられる化粧枠３と、この化粧枠３に開閉可能に取り付けられた扉部材４とから構成されているものであり、化粧枠３は、図３、図４に示すように、配線器具Ｂの前面（例えば、スイッチの押しボタン９）を露出させる開口部１０と、扉部材４を開閉可能に軸支する軸支部１１と、扉部材４の開閉動作を付勢するバネ部１２とが形成され、軸支部１１の上方は扉部材４を閉じた際、扉部材４の前面と面一になるように膨出部１３が形成されている。この膨出部１３は、図３（ｂ）に示すように、取り付けた扉部材４の上端面や、取り付け構造が上方から見えることのないようにするとともに、前面に配線器具Ｂの説明書きａ等を表示できるようにするためのものである（図５（ａ）参照）。
【００１４】
軸支部１１は膨出部１３の下方に２ヶ所、化粧枠３と一体に成形され、軸支部１１に形成された支軸１１ａはそれぞれ外方を向いて形成されている。
【００１５】
バネ部１２は軸支部１１の中間に配置された略コ字状に切りかかれた切片で構成され、前後に撓むようになっており、この切片１２の先端部前面は後述する扉部材４の係合片２４に係合する係合突部１２ａが形成されている（図４（ｂ）参照）。
【００１６】
そして、化粧枠３の両側面にはカバープレート２の開口部１５の内周面に形成された嵌合凹部１６に嵌め合わせることによって化粧枠３をカバープレート２に固定させる嵌合突部１７が形成されている（図４（ａ）（ｃ）参照）。
【００１７】
扉部材４は前面の下部には扉部材４を開閉するための摘み２０が形成され、中央には内部に配置された配線器具Ｂの使用状態を確認するための窓部２１が形成され、この窓部２１は裏側面から透明なプレート２２で塞がれている。そして、裏面両側部には係合縁２３が突出形成されるとともに、中央上部には上述の化粧枠３のバネ部１２に係合する係合片２４が突出形成されている。そして、上記係合縁２３の上部は内側に向かって肉厚に形成され、その内側面には、化粧枠３に形成された軸支部１１の支軸１１ａに嵌め合わされる嵌合凹部２５が形成され（図６（ａ）（ｃ）参照）、支軸１１ａに嵌合凹部２５を嵌め合わせることにより扉部材４を前後に開閉することができるようになっている。
【００１８】
なお、図６（ａ）（ｂ）において、符号２６はプレート２２を固定する固定ピンを示し、符号２７は、扉部材４を閉じたときに化粧枠３に形成された係止部１８に係るフックを示す。
【００１９】
さらに、上述の化粧枠３の背面側には係止突部１９が突出形成されている。この係止突部１９は、上述したように化粧枠３の両側面にはカバープレート２に固定するための嵌合突部１７が形成されているが、扉部材４を乱雑に開閉した場合にカバープレート２の嵌合凹部１６と化粧枠３の嵌合突部１７との嵌合が外れ、化粧枠３がカバープレート２から離脱する恐れがあるために化粧枠３の固定状態を強化するためのもので、この係止突部１９は配線器具Ｂの取付枠１に固定した係止プレート３１に係止されるようになっている。この係止プレート３１は、図２に示すように、取付枠１の開口部の配線器具Ａを取り付けない開口部分から火災の際に火が進入しないように、開口部分を覆う金属板からなる耐火プレート３１’に係止爪３２を形成したもので、図７（ａ）（ｂ）に示すように、両側部に取付枠１に係止させる係止片３３が突出形成されるとともに、中央にはコ字状に切り欠いて形成された切片が前方に鉤型に折り曲げられて係止爪３２が形成されている。
【００２０】
上記構成のカバー装置は、図３（ａ）に示すように、扉部材４の係合縁２３の上部に形成された嵌合凹部２５を、化粧板３の軸支部１１に形成された支軸１１ａに嵌め合わせれば、図３（ｂ）に示すように、カバー装置Ａを簡単に組み上げることができる。
【００２１】
組み上げたカバー装置Ａは、化粧枠３の両側面に突出形成された嵌合突部１７をカバープレート２の開口部１５の内周面に形成された嵌合凹部１６に嵌め合わせることによって、図１（ａ）に示すように、カバー装置Ａを簡単にカバープレート２に固定させることができる。このとき、化粧枠３の裏側面に突出形成された係止突部１９が、係止プレート３１に形成された係止爪３２に係止され、化粧枠３をカバープレート２に加え取付枠１にも固定することができ、より強力に固定することができる。
【００２２】
なお、図１、２において、符号６はブランク蓋を示し、このブランク蓋６はカバープレート２にカバー装置Ａ以外に配線器具を取り付けない場合、カバープレート２の開口部１５の一部が開放された状態になるため、この開放部分を塞ぐためのものであり、この部分にスイッチ等の配線器具が取り付けられる場合は必要としないものである。
【００２３】
上述のようにしてカバープレート２に固定されたカバー装置Ａは、摘み２０を引いて扉部材４を手前に引けば開放することができる。扉部材４を開く際、扉部材４の背面側上部に突出形成された係合片２４が、図８（ｂ）に示すように、化粧枠３に形成されたバネ部１２の係合突部１２ａに係合して、バネ部１２を後方に撓ませながら回動することになり、バネ部１２の弾性で開閉動作が付勢されて円滑に扉部材４を開閉することができる。しかも、扉部材４を完全に開いたときには、図８（ｃ）に示すように、バネ部１２が扉部材４の上端面に係合し、扉部材４を支軸１１ａに押し付けるように作用するので、扉部材４は開放した状態が維持される。
【００２４】
上述したように、本発明のカバー装置Ａによれば、従来の部品（配線器具Ｂ、取付枠１、カバープレート２）に何ら手を加えることなくカバー装置Ａをカバープレート２に取り付けることができるとともに、扉部材４の開閉動作を付勢するためのスプリングなどを必要としないので、構成部品を最小限に抑えることができ、部品の在庫管理を容易にするとともに組みつけ作業が簡単になるカバー装置を実現することができる。
【図面の簡単な説明】
【００２５】
【図１】（ａ）（ｂ）は本発明に係る配線器具用カバー装置を説明する斜視図
【図２】配線器具用カバー装置の組付け状態を説明する分解斜視図
【図３】（ａ）（ｂ）は化粧枠に扉部材を取り付ける状態を示す斜視図
【図４】（ａ）〜（ｃ）は化粧枠の背面図、Ｘ−Ｘ線断面図及びＹ−Ｙ線断面図
【図５】（ａ）（ｂ）は扉部材を閉じた状態と開いた状態とを説明する正面図
【図６】（ａ）〜（ｃ）は扉部材の背面図、Ｘ−Ｘ線断面図及びＹ−Ｙ線断面図
【図７】（ａ）（ｂ）は化粧枠と係止プレートとの関係を説明する正面側斜視図及び背面側斜視図
【図８】（ａ）〜（ｃ）は扉部材とバネ部との関係を示す要部断面図
【符号の説明】
【００２６】
１    取付枠
２    カバープレート
３    化粧枠
４    扉部材
１０    開口部
１１    軸支部
１３    膨出部
１５    開口部
Ａ    カバー装置
Ｂ    配線器具
【図１】
2005151607.tif 000003
【図２】
2005151607.tif 000004
【図３】
2005151607.tif 000005
【図４】
2005151607.tif 000006
【図５】
2005151607.tif 000007
【図６】
2005151607.tif 000008
【図７】
2005151607.tif 000009
【図８】
2005151607.tif 000010